(57)【要約】【課題】車両の走行に際して使用した個人情報を、当該車両を戻すときに忘れることなく消去可能なこと。【解決手段】発進地、営業所、本社、本店、支店等の車両登録地点から予め定められた所定の距離範囲内に入ったとき、ナビゲーションで使用した目的地、目的地履歴、走行履歴等の個人情報を消去するための案内を報知するステップＳ４１乃至ステップＳ４２からなる消去情報第１報知部と、前記消去情報第１報知部で報知した対象の個人情報を消去するステップＳ４４及びステップＳ４５からなる消去部とを具備し、特定の車両が車両登録地点から予め定められた所定の距離範囲内に入ったとき、消去情報第１報知部は個人情報を消去するための案内をし、ステップＳ４４及びステップＳ４５からなる消去部によって前記個人情報を消去するものである。【選択図】図１０
2010145330.tif 000002
【特許請求の範囲】
【請求項１】
特定の車両の車両登録地点から目的地との間のルートを探索すると共に、選択されたルートに従って案内するナビゲーション装置において、
前記車両登録地点から予め定められた所定の距離範囲内に入ったとき、個人情報を消去するための案内を報知する消去情報第１報知部と、
前記消去情報第１報知部で報知した対象の前記個人情報を消去する消去部と
を具備することを特徴とするナビゲーション装置。
【請求項２】
特定の車両の車両登録地点から目的地との間のルートを探索すると共に、選択されたルートに従って案内するナビゲーション装置において、
前記車両登録地点から予め定められた所定の距離範囲内に入ったとき、個人情報を消去するための案内を報知する消去情報第１報知部と、
予め定められた所定の距離範囲内に入り、かつ、車速が停止状態になったとき、個人情報を消去するための案内を前記第１報知部とは異なる報知方法に代えて報知する消去情報第２報知部と、
前記両報知部で報知した対象の前記個人情報を消去する消去部と
を具備することを特徴とするナビゲーション装置。
【請求項３】
前記個人情報は、目的地、目的地履歴、走行履歴の何れか１つ以上とすることを特徴とする請求項１または請求項２に記載のナビゲーション装置。
【請求項４】
前記個人情報には、消去部の操作によっても消去不可能な登録を可能としたことを特徴とする請求項１乃至請求項３の何れか１つに記載のナビゲーション装置。
【請求項５】
前記消去情報第１報知部には、ディスプレイ表示としたことを特徴とする請求項１乃至請求項４の何れか１つに記載のナビゲーション装置。
【請求項６】
前記消去情報第２報知部には、ディスプレイ表示及び音声出力としたことを特徴とする請求項１乃至請求項５の何れか１つに記載のナビゲーション装置。
【請求項７】
前記消去情報第１報知部の予め定められた所定の距離範囲内は、前記車両登録地点としたことを特徴とする請求項１、請求項３乃至請求項６の何れか１つに記載のナビゲーション装置。
【請求項８】
前記消去情報第２報知部の予め定められた所定の距離範囲内は、前記車両登録地点としたことを特徴とする請求項２乃至請求項６の何れか１つに記載のナビゲーション装置。
【発明の詳細な説明】
【技術分野】
【０００１】
本発明は、ナビゲーション装置に関するもので、特に、レンタカー、レンタルナビゲーション装置のように、特定の車両登録地点に戻るか、特定の車両登録地点で返却されたとき、それまで使用していたナビゲーションの機能の個人情報を消去して返却するナビゲーション装置に関するものである。
【背景技術】
【０００２】
従来の車載用ナビゲーション装置としては特許文献１に記載のものがある。
当該特許文献１には、目的地を地点登録し、その設定した目的地を訪問すると、その履歴が残る機能を有する技術が開示されている。
即ち、特許文献１は、目的地を設定するための目的地設定手段と、設定された目的地の位置情報を記憶する履歴記憶手段と、前記目的地設定手段によって、目的地が設定され、誘導が開始されると、予め設定されたタイミングで、前記履歴記憶手段に目的地の位置情報を記憶する記憶制御手段と、前記履歴記憶手段に記憶された前記位置情報を表示する表示手段と、表示された前記位置情報から目的地を選択するための目的地選択手段とを具備し、実際に誘導を開始して予め設定されたタイミングで記憶されるものである。
【特許文献１】特開２００６−１５３７２８
【発明の開示】
【発明が解決しようとする課題】
【０００３】
特許文献１においては、特定のドライバがマイカーを使用する場合には、当該履歴の保存は次回のドライブに使用することができ利便性が高いものである。
しかし、これがレンタカー、社有車両、共用車両となると状況が違う。ナビゲーション装置に設定した特定の目的地にどの道路を走行して行ったかが記録として残ってしまう。したがって、次に使用する人は、その記録を辿っていけば、前のドライバと同一の目的地に到着することができる。即ち、個人情報の流出となる。
【０００４】
そこで、この発明はかかる不具合を解決するためになされたもので、車両の走行に際して使用した個人情報を、当該車両を戻すときに忘れることなく消去可能なナビゲーション装置の提供を目的とするものである。
【課題を解決するための手段】
【０００５】
請求項１にかかるナビゲーション装置は、車両登録地点から予め定められた所定の距離範囲内に入ったとき、個人情報を消去するための案内を報知する消去情報第１報知部と、前記個人情報を消去する消去部とを具備するものである。
ここで、上記消去情報第１報知部の車両登録地点から予め定められた所定の距離範囲内に入ったときとは、車両登録地点が出発地であってもよいし、特定の営業所等の特定の人が特定した車両の登録地であってもよい。また、所定の距離範囲内とは、通常、１Ｋｍ程度以下の距離内であればよく、任意に設定可能なものである。
上記消去情報第１報知部の個人情報を消去するための案内の報知は、ナビゲーションのディスプレイの地図上に特定面積のポップアップまたはディスプレイで全面表示させるものであっても、音声でガイドするものでもよく、または両者を使用してもよい。
そして、上記消去部は、前記個人情報を消去する機能であり、特定のメモリエリアに格納された情報を消去自在であればよい。
【０００６】
請求項２にかかるナビゲーション装置は、車両登録地点から予め定められた所定の距離範囲内に入ったとき、個人情報を消去するための案内を表示する消去情報第１報知部と、予め定められた所定の距離範囲内に入り、かつ、車速が停止状態になったとき、個人情報を消去するための案内を前記第１報知部とは異なる報知方法に代えて報知する消去情報第２報知部と、前記個人情報を消去する消去部とを具備するものである。
ここで、上記消去情報第１報知部の車両登録地点から予め定められた所定の距離範囲内に入ったときとは、車両登録地点が出発地であってもよいし、特定の営業所等の特定の人が特定した登録地であってもよい。所定の距離範囲内とは、特定された距離を意味し、ここには車両登録地点からの距離０ｍ（車両登録地点自体）も含まれる。
上記消去情報第１報知部の個人情報を消去するための案内の報知は、ナビゲーションのディスプレイの地図上に特定面積のポップアップまたはディスプレイの全面表示させるものであっても、音声でガイドするものでもよく、または両者を使用してもよい。
また、上記消去情報第２報知部は、予め定められた所定の距離範囲内に入り、かつ、車速が停止状態になったとき、個人情報を消去するための案内を前記第１報知部とは異なる報知方法に代えて認識力の高いインパクトのある報知方法、例えば、ポップアップ表示された特定面積を点滅させるか、または特定の色彩を赤系に変化させるとか、音声で「個人情報を消去ください。」、「レンタカー営業所に到着しました。登録情報を削除しますか。」等のメッセージを出力する等の注意を喚起する報知手段であればよい。
そして、上記消去部は、前記個人情報を消去する機能であり、特定のメモリエリアに格納された情報を消去自在であればよい。
【０００７】
請求項３にかかるナビゲーション装置の前記個人情報は、目的地、目的地履歴、走行履歴の何れか１つ以上とするものである。ここで、前記個人情報としては、目的地、目的地履歴、走行履歴、経由地等の個人が設定した入力であり、ナビゲーション機能に影響を与えないものである。
【０００８】
請求項４にかかるナビゲーション装置の前記個人情報は、消去部の操作によっても消去不可能な登録を可能としたものである。ここで消去不可能な登録とは、所定のフラグを立てるか、または消去不可能なメモリ領域を特定し、消去可能メモリ領域の記載のみを消去するように構成できる。
【０００９】
請求項５にかかるナビゲーション装置の前記消去情報第１報知部としては、ディスプレイ表示とするものであり、ディスプレイの地図上に特定面積のポップアップまたはディスプレイの全面表示させることができる。
【００１０】
請求項６にかかるナビゲーション装置の前記消去情報第２報知部としては、ディスプレイ表示及び音声出力としたものであるから、ディスプレイの地図上に特定面積のポップアップまたはディスプレイで全面表示させ、かつ、音声でガイドするものである。前記消去情報第１報知部に比較して訴える力が大きいものであればよい。
【００１１】
請求項７にかかるナビゲーション装置の前記消去情報第１報知部の予め定められた所定の距離範囲内は、前記車両登録地点としたものである。即ち、前記消去情報第１報知部の予め定められた所定の距離範囲内は、ＧＰＳセンサ等の誤差を含むが、前記車両登録地点としたものである。
【００１２】
請求項８にかかるナビゲーション装置の前記消去情報第２報知部の予め定められた所定の距離範囲内は、前記車両登録地点としたものである。即ち、前記消去情報第１報知部の予め定められた所定の距離範囲内は、ＧＰＳセンサ等の誤差を含むが、前記車両登録地点としたものである。
【発明の効果】
【００１３】
請求項１のナビゲーション装置は、特定の車両が車両登録地点から予め定められた所定の距離範囲内に入ったとき、消去情報第１報知部は個人情報を消去するための案内を表示し、消去部によって前記個人情報を消去するものである。
したがって、レンタカー、社有車両、共用車両であっても、予め定められた所定の距離範囲内に入ったとき、消去情報第１報知部が個人情報を消去するための案内を表示し、ドライバに注意を喚起するので、ドライバは消去部によって前記個人情報を消去することができる。よって、車両のドライバが使用した個人情報を忘れることなく消去できる。
【００１４】
請求項２のナビゲーション装置は、特定の車両の車両登録地点から予め定められた所定の距離範囲内に入ったとき、消去情報第１報知部によって個人情報を消去するための案内を表示し、次いで、予め定められた所定の距離範囲内に入り、かつ、車速が停止状態になったとき、消去情報第２報知部によって前記個人情報を消去するための案内を前記第１報知部とは異なる報知方法に代えて報知する。そして、消去部によって当該個人情報を消去するものである。
したがって、レンタカー、社有車両、共用車両であっても、予め定められた所定の距離範囲内に入ったとき、消去情報第１報知部が個人情報を消去するための案内を表示し、ドライバに注意を喚起し、それでも気が付かないドライバに対して、車速が停止状態になったとき、消去情報第２報知部によって前記個人情報を消去するための案内を前記第１報知部とは異なる報知方法に代えて報知することにより、忘れることなく、前記個人情報を消去することができる。よって、車両のドライバが使用した個人情報を忘れることなく消去できる。
【００１５】
請求項３のナビゲーション装置の前記個人情報は、目的地、目的地履歴、走行履歴の何れか１つ以上とするものであるから、請求項１または請求項２に記載の効果に加えて、通常の車載用ナビゲーション装置に設定する要件を削除するものであり、レンタカー、社有車両、共用車両であっても、その使用者の設定した情報を削除できる。
【００１６】
請求項４のナビゲーション装置の前記個人情報には、消去部の操作によっても消去不可能な登録を可能としたものであるから、請求項１乃至請求項３の何れか１つに記載の効果に加えて、レンタカー、社有車両、共用車両であってもそれらの仕様にあった情報を管理の立場から入力したものについては、消去部の操作によっただけでは消去不可能な登録ができ、管理に適した登録が自在なものである。
【００１７】
請求項５にかかるナビゲーション装置の前記消去情報第１報知部としては、ディスプレイ表示としたものであるから、請求項１乃至請求項４の何れか１つに記載の効果に加えて、ナビゲーションのディスプレイの地図上に特定面積のポップアップまたはディスプレイの全面表示させるものであるから、格別、第三者にまで伝わらない状態で消去動作を行うことができ、また、レンタカーの営業所等を通過する際には、それが報知されるが、その都度の操作が静かに操作できる。
【００１８】
請求項６にかかるナビゲーション装置の前記消去情報第２報知部としては、ディスプレイ表示及び音声出力としたものであるから、請求項１乃至請求項５の何れか１つに記載の効果に加えて、ナビゲーションのディスプレイの地図上に特定面積のポップアップまたはディスプレイの全面で表示し、かつ、音声出力を行うものであるから、前記消去情報第１報知部よりもインパクトの高い報知を行うことができる。
【００１９】
請求項７にかかるナビゲーション装置の前記消去情報第１報知部の予め定められた所定の距離範囲内は、前記車両登録地点としたものであるから、請求項１、請求項３乃至請求項６の何れか１つに記載の効果に加えて、発進地、営業所、本社、本店、支店等の特定の車両の車両登録地点においてのみ、その報知が行われるので、無駄な報知をする機会が少なくなる。
【００２０】
請求項８にかかるナビゲーション装置の前記消去情報第２報知部の予め定められた所定の距離範囲内は、前記車両登録地点としたものであるから、請求項２乃至請求項６の何れか１つに記載の効果に加えて、発進地、営業所、本社、本店、支店等の特定の車両の車両登録地点においてのみ、その報知が行われるので、無駄な報知をする機会が少なくなる。
【発明を実施するための最良の形態】
【００２１】
以下、本発明の実施の形態について、図面に基づいて説明する。なお、実施の形態において、図中、同一記号及び同一符号は、同一または相当する機能部分であるから、ここでは重複する説明を省略する。
図１は本発明の実施の形態にかかるナビゲーション装置の一部機能表現を含む全体構成を示すブロック図である。また、図２は本発明の実施の形態にかかるナビゲーション装置のディスプレイで表示されたメインメニューの説明図、図３は本発明の実施の形態にかかるナビゲーション装置のディスプレイで表示された各種設定メニューの説明図、図４は本発明の実施の形態にかかるナビゲーション装置のディスプレイで表示された目的地設定情報の説明図、図５は本発明の実施の形態にかかるナビゲーション装置のディスプレイで表示された車両登録地点の説明図、図６は本発明の実施の形態にかかるナビゲーション装置のディスプレイで表示された目的地設定情報の説明図である。そして、図７は本発明の実施の形態にかかるナビゲーション装置のメインルーチンのフローチャート、図８は本発明の実施の形態にかかるナビゲーション装置の車両登録地点の登録ルーチンのフローチャート、図９は本発明の実施の形態にかかるナビゲーション装置の目的地・経由地の登録ルーチンのフローチャート、図１０は本発明の実施の形態にかかるナビゲーション装置の車両登録地点の到着ルーチンのフローチャートである。
【００２２】
図１において、本実施の形態のナビゲーション装置は、入力された情報に基づいて、各種の演算処理を行うマイクロプロセッサからなる演算・制御部１と、操作者からの操作を受け付けるエンジンの駆動を行うイグニッションスイッチ２ａを含む各種キー入力、音声入力、タッチスイッチ等の操作部２と、操作者に対して操作情報、地図等の情報を表示する液晶、ＥＬ等からなるディスプレイ３と、ルート案内、交通規制情報、渋滞情報の案内に関する音声ガイダンスを行うスピーカ４と、更に、現在の自車の位置、方位、目標物（例えば、交差点）に至るまでの距離等を検出することが可能となるように各種センサからなる自車の現在位置を検出する現在地検出部６と、道路交通情報通信システムセンター（ＶＩＣＳ（登録商標）：Vehicle Information and Communication System）７等の情報センタとの間でネットワーク７１を介して通信を行う通信部８、各種のデータが記録され、書込み、読み出しが可能な記憶容量が大きいハードディスクからなるデータ処理記憶部９と、ナビゲーション機能による目的地、経由地の設定によってルート探索される目的地設定記憶部１０等から構成されている。なお、ディスプレイ３は操作部２としてのタッチスイッチを兼ねているものもある。
【００２３】
マイクロプロセッサからなる演算・制御部１は、全体の制御を行う演算及び制御を行うＣＰＵ１１、及びＣＰＵ１１が各種の演算処理を行うに当たってワーキングメモリとして使用すると共に、ルートが探索されたときのルートデータや交通規制情報が存在するリンクＩＤ等が記憶されるＲＡＭ１２、制御用プログラムの他、渋滞回避ルートへの変更をユーザに案内するルート変更案内処理プログラム等が記憶されたＲＯＭ１３、ＲＯＭ１３から読み出したプログラムを記憶するフラッシュメモリ１４等の内部記憶装置や、時間を計測するタイマ１５等を備え、ＲＡＭ１２、ＲＯＭ１３、フラッシュメモリ１４等としては半導体メモリ、磁気コア等が使用され、演算及び制御を行うＣＰＵ１１は、ＭＰＵ等の演算機能を有するものの使用が可能である。
【００２４】
ＲＯＭ１３には、各種のプログラムが記憶され、ＲＡＭ１２に各種のデータが記憶されるようになっており、また、プログラム、データ等を外部記憶装置、メモリーカード等からプログラム、データ等を読み出してフラッシュメモリ１４に書き込む。更に、メモリーカード等を交換することによってプログラム、データ等を更新することができる。
そして、自車の現在位置を検出する現在地検出部６は、ＧＰＳセンサ６１、地磁気センサ６２、距離センサ６３、ステアリングセンサ６４、方位検出部としてのジャイロセンサ６５、高度計６６、更に、自車の走行速度及び走行距離を検出する車速センサ６７等からなる。
【００２５】
なお、本実施の形態のナビゲーション装置は、ネットワーク７１を介して道路交通情報通信システムセンター７から警察、日本道路公団等の交通管制システムの情報を収集して作成した道路の渋滞等に関する情報や、交通規制情報等の道路交通情報を所定時間毎に受信することが可能に構成されている。また、この道路交通情報は、例えば、道路の渋滞等に関する道路渋滞情報、道路工事、建築工事等による交通規制情報等の道路交通情報に関する詳細情報である。該詳細情報としては、道路渋滞情報の場合、後述のＶＩＣＳリンクＩＤ、渋滞の実際の長さ、渋滞解消の見込まれる時刻等であり、交通規制情報の場合、後述のＶＩＣＳリンクＩＤ、道路工事、建築工事等の継続期間、通行止め、片側交互通行、車線規制等の交通規制の種類、交通規制の時間帯等である。
【００２６】
また、ネットワーク７１としては、例えば、無線ＬＡＮ（Local Area Network）、ＷＡＮ（Wide Area Network）、イントラネット、携帯電話回線網、電話回線網、公衆通信回線網、専用通信回線網、インターネット等の通信回線網等の通信系を使用することができる。そして、放送衛星によるＣＳ放送、ＢＳ放送、地上波ディジタルテレビ放送、ＦＭ多重放送等を利用する通信系を使用することもできる。更に、高度道路交通システム（ＩＴＳ）において利用されるノンストップ自動料金支払いシステム（ＥＴＣ）、狭域通信システム（ＤＳＲＣ）等の通信系を使用することもできる。
【００２７】
更に、本実施の形態のナビゲーション装置を構成する各構成要素について図１に基づいて具体的に説明する。
ＧＰＳセンサ６１は、人工衛星によって発生させられた電波を受信することにより、地球上における自車の現在位置及び現在時刻を検出する。地磁気センサ６２は、地磁気を測定することによって自車方位を検出する。距離センサ６３は、道路上の所定位置間の距離等を検出する。ここで、距離センサ６３としては、例えば、自車の車輪の回転速度を測定し、測定した回転速度に基づいて距離を検出するが、車速センサ６７の出力を積分して距離を検出してもよい。
【００２８】
また、ステアリングセンサ６４は自車の操舵角を検出するものである。ここで、ステアリングセンサ６４としては、例えば、ステアリングホイールの回転部に取り付けられた光学的な回転センサ、回転抵抗センサ、車輪に取り付けられた角度センサ等が使用される。
そして、ジャイロセンサ６５は自車の旋回角を検出するものである。ここで、ジャイロセンサ６５としては、例えば、ガスレートジャイロ、振動ジャイロ等が使用される。また、ジャイロセンサ６５によって検出された旋回角を積分することにより、自車方位を検出することができる。
【００２９】
また、データ処理記憶部９及び目的地設定記憶部１０は、本実施の形態ではハードディスクを使用した場合で説明する。本実施の形態においては、データ処理記憶部９、目的地設定記憶部１０としてハードディスクが使用されているが、ハードディスクの他に、フレキシブルディスク等の磁気ディスクを外部記憶装置の一部として使用することができる。また、メモリーカード、磁気テープ、磁気ドラム、ＣＤ、ＭＤ、ＤＶＤ、光ディスク、ＩＣカード等を外部記憶装置の一部として使用することもできる。
【００３０】
更に、演算・制御部１には、操作部２、ディスプレイ３、スピーカ４、通信部８の各周辺装置が電気的に接続されている。操作部２は、走行開始時の現在地を修正し、案内開始地点としての出発地及び案内終了地点としての目的地を入力する際や施設に関する情報の検索を行う際等に操作され、各種キー等の複数の操作スイッチから構成される。そして、演算・制御部１は、操作部２の各スイッチの操作により出力されるスイッチ信号に基づき、対応する各種の動作を実行すべく制御を行う。イグニッションスイッチ２ａはエンジンの始動及び停止を行うものである。
なお、操作部２としては、キーボード、マウス、バーコードリーダ、遠隔操作用のリモートコントロール装置、ジョイスティック、ライトペン、スタイラスペン等を使用することもできる。更に、ディスプレイ３の前面に設けたタッチパネルによって構成することもできる。
【００３１】
ディスプレイ３には、操作案内、操作メニュー、キーの案内、現在地から目的地までの誘導ルート、誘導ルートに沿った案内情報、後述のルート変更案内情報、交通情報、ニュース、天気予報、時刻、メール、テレビ番組等が表示される。
なお、ディスプレイ３の代わりに、ＣＲＴディスプレイ、プラズマディスプレイ、ＥＬ等を使用し、車両のフロントガラスにホログラムを投影するホログラム装置等を使用することもできる。
【００３２】
スピーカ４は、演算・制御部１からの指示に基づいて、誘導ルートに沿った走行を案内する音声ガイダンスや、誘導ルートのルート変更を案内する音声案内を出力する。ここで、案内される音声ガイダンスとしては、例えば、「２００ｍ先、○○交差点を右方向です。」や「有料道路を利用するルートに変更されました。」等がある。特に、本実施の形態においては、「個人情報を消去ください」、「レンタカー営業所に到着しました。登録情報を削除しますか」等のメッセージを出力する。
なお、スピーカ４より出力される音声としては、合成された音声の他に、各種効果音、予めＩＣメモリ等に録音された各種の案内情報を出力することもできる。
【００３３】
更にまた、通信部８は、情報センタ、例えば、道路交通情報通信システムセンター７等から送信された渋滞情報、交通規制情報、駐車場情報、交通事故情報、サービスエリアの混雑状況等の各情報から成る道路交通情報を、道路に沿って配設された電波ビーコン装置、光ビーコン装置等を介して電波ビーコン、光ビーコン等として受信するビーコンレシーバである。また、通信部８は、ネットワーク７１としてＬＡＮ、ＷＡＮ、イントラネット、携帯電話回線網、電話回線網、公衆通信回線網、専用通信回線網、インターネット等の通信回線網等の通信系において通信を可能とするネットワーク機器である。更に、通信部８は道路交通情報通信システムセンター７からの情報の他に、ニュース、天気予報等の情報から成るＦＭ多重情報を、ＦＭ放送局を介してＦＭ多重放送として受信するＦＭ受信機を備える。なお、前記ビーコンレシーバ及びＦＭ受信機は、ユニット化されてＶＩＣＳレシーバとして配設されるようになっているが、別々に配設することもできる。
【００３４】
データ処理記憶部９の交通情報ＤＢ９１には、道路交通情報通信システムセンター７から受信した渋滞の実際の長さ、渋滞解消の見込まれる時刻等から構成される現況の道路の渋滞等に関する道路交通情報から作成した渋滞情報９２が格納されている。また、この交通情報ＤＢ９１には、道路交通情報通信システムセンター７から受信した交通規制のある道路工事、建築工事等による交通規制情報等に関する道路交通情報から作成した交通規制情報９３が格納されている。
道路交通情報通信システムセンター７から受信した各道路交通情報には、種別情報、位置、渋滞区間の距離、渋滞度等の情報と共に、ＶＩＣＳリンクＩＤが含まれる。ＶＩＣＳリンクＩＤは、道路を所定の交差点毎に分割して規格化された走行案内用リンクとしてのＶＩＣＳリンクに付与された識別番号である。なお、前記道路交通情報には、各ＶＩＣＳリンクにおける始点及び終点の座標、始点から終点までの距離等の情報も含まれている。
【００３５】
なお、地図情報ＤＢ９４に記憶される道路とＶＩＣＳリンクとは同一ではない。即ち、一般的には、道路（リンク）の方がＶＩＣＳリンクよりも細分化されている。そこで、交通情報ＤＢ９１には、各道路に識別番号として付与されるリンクＩＤとＶＩＣＳリンクＩＤとの間の変換テーブル（対照表）を有し、ＶＩＣＳリンクＩＤに基づいて、対応するリンクＩＤを特定することができるようになっている。そのため、本実施の形態のナビゲーション装置は、道路交通情報通信システムセンター７からＶＩＣＳリンクＩＤを受信すると、該ＶＩＣＳリンクＩＤに基づいて渋滞情報等の道路交通情報を表示すべき道路の区間を特定することができる。そして、道路交通情報通信システムセンター７から受信した現況の道路の渋滞等に関する道路交通情報のＶＩＣＳリンクＩＤは、リンクＩＤに変換されて渋滞情報９２として格納される。また、道路交通情報通信システムセンター７から受信した交通規制情報等に関する道路交通情報のＶＩＣＳリンクＩＤは、リンクＩＤに変換されて交通規制情報９３として格納される。
【００３６】
また、地図情報ＤＢ９４には、本実施の形態のナビゲーション装置の走行案内やルート探索に使用されるナビ地図情報９５が格納されている。ここで、ナビ地図情報９５には、ルート案内及び地図表示に必要な各種情報から構成されており、例えば、各新設道路を特定するための新設道路情報、地図を表示するための地図表示データ、各交差点に関する交差点データ、ノード点に関するノードデータ、施設の一種である道路に関するリンクデータ、ルートを探索するための探索データ、施設の一種である店舗等のＰＯＩ（Point of Interest）に関する店舗データ、地点を検索するための検索データ等から構成されている。そして、地図情報ＤＢ９４の内容は、地図情報配信センタから通信部８を介して配信された更新情報をダウンロードすることによって更新される。
【００３７】
また、目的地設定記憶部１０は、本実施の形態のハードディスクに記憶された施設検索、住所検索、電話番号検索、郵便番号検索メモリ地点検索等によって目的地を特定する目的地設定部１０１、目的地に対して特定の経由地を入力する経由地設定部１０２、目的地設定部１０１で設定した目的地及び経由地設定部１０２で設定した特定の目的地及び経由地によって検索されたコースを格納し、それを地図表示するコース保持部１０３、登録した目的地を登録毎に記憶する目的地履歴部１０４、走行した道路を記録する走行履歴部１０５を具備している。
【００３８】
次に、本実施の形態のナビゲーション装置の動作プログラムについて図を用いて説明する。
図７の「メインプログラム」は、イグニッションスイッチ２ａが投入されたとき起動するプログラムで、ディスプレイ３を通常の制御画面として使用する場合と同一プログラムで実行されるものである。なお、他の制御プログラムについては、その説明を割愛する。
【００３９】
まず、ステップＳ１でメインプログラムの処理で使用するメモリの初期化を行い、ステップＳ２で図２に示すメインメニュー画面表示を行い、ステップＳ３でそのメニューの一つが選択されたと判断したとき、ステップＳ４で当該選択されたメニューのプログラムの実行となる。ステップＳ４では単純化して各メニューの実行と記載しているが、それぞれのプログラムをコールし、実行し、このルーチンを脱する。
【００４０】
図２に示すメインメニュー画面表示において、「各種設定」を選択すると、図３の画面が表示される。ここで、「車両登録地点設定」を選択すると、図８の「車両登録地点の登録ルーチン」がコールされる。まず、ステップＳ１１で図５に示す車両登録メニュー表示となる。この車両登録メニュー表示では、登録地点１以降にナビゲーション機能の施設検索、住所検索、電話番号検索、郵便番号検索、メモリ地点検索等の機能と同様の方法によって車両登録地点を特定することになる。ステップＳ１２で登録方法、即ち、施設検索、住所検索、電話番号検索、郵便番号検索、メモリ地点検索等によって車両登録地点の設定方法を選択されると、ステップＳ１３で目的の車両登録地点の設定を行い、レンタカー、社有車両、共用車両等の利用者またはレンタルナビゲーション装置の利用者が勝手に消去できないように、ステップＳ１４で消去禁止フラグを立てる（“１”とする）。ステップＳ１５でそれら車両登録地点及び立てられた消去禁止フラグを格納し、このルーチンを脱する。
なお、本実施の形態では、「各種設定」を選択することによって車両登録地点を特定する構成としたが、「目的地設定」のメニューからこのルーチンに入ってもよい。しかし、メモリエリアを異にすることによって、消去すべきものと、消去すべきものでないものとの区別が容易になる。特に、消去禁止フラグを用いることなく、消去する情報と消去しない情報とを区別できる。
【００４１】
次に、図２に示すメインメニュー画面表示において、「目的地設定」を選択すると、図９に示す「目的地・経由地の登録ルーチン」がコールされ、ステップＳ２１で施設検索、住所検索、電話番号検索、郵便番号検索、メモリ地点検索等の検索方法を使用して目的地が入力される。ステップＳ２２でそれが確認されると、ステップＳ２３で目的地が設定登録される。ステップＳ２４で経由地が選択されているか判断し、経由地を入力しないときには、ステップＳ２８に移動する。
ステップＳ２４で経由地が選択されているとき、ステップＳ２５及びステップＳ２６で経由地が入力され、その入力が完了したとき、ステップＳ２７で他の経由地が選択されているか否かを判断し、他の経由地があれば、ステップＳ２５乃至ステップＳ２７のルーチンを継続して実施する。
【００４２】
ステップＳ２４で経由地が選択されていないとき、ステップＳ２７で他の経由地を入力する必要がなくなったと判断したとき、ステップＳ２８で入力された情報に基づいて、図４に示すような出発地及び目的地、経由地を特定した目的地設定情報を表示する。そして、ステップＳ２９で目的地及び経由地に基づいてルートを探索する。そして、探索されたルートからステップＳ３０で特定のルートを選択すると、ステップＳ３１で目的地のルートを設定登録され、このルーチンを脱する。
これによって、目的地までのナビゲーション機能でガイドするルートが特定され、公知のように、車両の出発地から目的地との間のルートを探索し、選択されたルートに従って案内される。
【００４３】
次に、公知のナビゲーション機能によって車両の出発地から目的地との間のルートを探索し、選択されたルートに従って案内されるプログラムが実行される。当該プログラムの実行中に図１０の「車両登録地点の到着ルーチン」がコールされる。
まず、ステップＳ４１で車両登録地点まで半径３００ｍ以内の距離であるか否かが判断され、車両登録地点まで半径３００ｍを越える距離のときには、このルーチンを脱する。車両登録地点まで半径３００ｍ以内の距離であるかと判断されたとき、ステップＳ４２で、例えば、図６に示すように、「レンタカー営業所に到着しました。登録情報を削除しますか。」の表示をディスプレイ３の地図画面上で行う。
【００４４】
ステップＳ４２で表示した「レンタカー営業所に到着しました。登録情報を削除しますか。」の表示と共に、「消去する」、「消去しない」の表示によって入力を待ち、ステップＳ４３で「消去しない」が選択されたとき、このルーチンを脱する。ステップＳ４４で「消去する」が選択されたとき、ステップＳ４５で消去禁止フラグのない全データを消去し、このルーチンを脱する。
「消去する」、「消去しない」の表示を行っても何もしないとき、ステップＳ４６で車両がレンタカー営業所等の特定の車両登録地点に入ったか否かを判断し、当該レンタカー営業所等の特定の車両登録地点に入ったと判断したとき、ステップＳ４７で車両が停止したか否かを判断する。当該特定の車両登録地点に入るまで、車両が停止ステップＳ４６またはステップＳ４７のルーチンの処理を繰り返す。
【００４５】
ステップＳ４６で車両がレンタカー営業所等の特定の車両登録地点に入ったと判断し、ステップＳ４７で車両が停止したと判断したとき、ステップＳ４８で、例えば、「レンタカー営業所に到着しました。登録情報を削除しますか。」の表示を点滅させ、必要に応じて色彩を変更して点滅させ、或いは赤系統の色彩に変更して点滅させ、ステップＳ４９で「登録情報を消去してください。」、「レンタカー営業所に到着しました。登録情報を削除しますか。」等を音声として出力する。
ステップＳ５０及びステップＳ５１で「消去しない」、「消去する」の判断を行い、ステップＳ５０で「消去しない」が選択されたとき、このルーチンを脱する。ステップＳ５１で「消去する」が選択されたとき、ステップＳ５２で消去禁止フラグのない全データを消去し、このルーチンを脱する。
【００４６】
この実施の形態では、ステップＳ４１で車両登録地点まで半径３００ｍ以内の距離であるか否かが判断され、ステップＳ４６で車両登録地点であるか否かが判断されているが、本発明を実施する場合には、ステップＳ４６で車両登録地点であるか否かの判断を５０ｍ以内の判断とすることもできる。ＧＰＳセンサの誤差を考慮すると、ステップＳ４６で車両登録地点であるか否かの判断は、０〜１００ｍ以内の判断とするのが望ましい。
【００４７】
上記実施の形態のナビゲーション装置では、例えば、発進地、営業所、本社、本店、支店等の特定の車両の車両登録地点から目的地との間のルートを探索すると共に、選択されたルートに従って案内するナビゲーション装置において、例えば、発進地、営業所、本社、本店、支店等の車両登録地点から予め定められた所定の距離範囲内に入ったとき、個人情報を消去するための案内を報知するステップＳ４１及びステップＳ４２からなる消去情報第１報知部と、予め定められた所定の距離範囲内に入り、かつ、車速が停止状態になったとき、個人情報を消去するための案内を前記第１報知部とは異なる報知方法に代えて報知する、即ち、個人情報を消去するための案内を認識力の高いインパクトのある報知方法に代えて報知するステップＳ４６乃至ステップＳ４９からなる消去情報第２報知部と、前記両ステップＳ４１乃至ステップＳ４２からなる消去情報第１報知部とステップＳ４６乃至ステップＳ４９からなる消去情報第２報知部で報知した対象の使用者の入力した個人情報を消去するステップＳ５１及びステップＳ５２からなる消去部を具備し、特定の車両の車両登録地点から予め定められた所定の距離範囲内（車両登録地点から０ｍを含む）に入ったとき、ステップＳ４１及びステップＳ４２からなる消去情報第１報知部によって個人情報を消去するための案内を報知し、次いで、予め定められた所定の距離範囲内に入り、かつ、車速が停止状態になったとき、ステップＳ４６乃至ステップＳ４９からなる消去情報第２報知部によって個人情報を消去するための案内を前記第１報知部とは異なる報知方法に代えて報知する。そして、ステップＳ５１及びステップＳ５２からなる消去部によって当該個人情報を消去するものである。
【００４８】
したがって、レンタカー、社有車両、共用車両であっても、レンタルナビゲーション装置であっても、予め定められた所定の距離範囲内に入ったとき、ステップＳ４１乃至ステップＳ４２からなる消去情報第１報知部が個人情報を消去するための案内を報知し、ドライバに注意を喚起し、それでも気が付かないドライバに対して、車両が停止状態になったとき、ステップＳ４６乃至ステップＳ４９からなる消去情報第２報知部によって前記個人情報を消去するための案内を前記第１報知部とは異なる報知方法に代えて報知することにより、忘れることなく、個人情報を消去することができる。よって、車両のドライバが使用した個人情報を忘れることなく消去できる。
【００４９】
ところで、上記実施の形態では、車両登録地点の予め定められた所定の距離範囲内に入ったとき、個人情報を消去するための案内を報知するステップＳ４１及びステップＳ４２からなる消去情報第１報知部と、予め定められた所定の距離範囲内に入り、かつ、車速が停止状態になったとき、個人情報を消去するための案内を認識力の高いインパクトのある報知方法に代えて報知するステップＳ４６乃至ステップＳ４９からなる消去情報第２報知部を具備する事例で説明したが、本発明を実施する場合には、消去情報第１報知部または消去情報第２報知部のみとして実施することもできる。
【００５０】
即ち、この種の実施の形態のナビゲーション装置では、例えば、発進地、営業所、本社、本店、支店等の特定の車両の車両登録地点から目的地との間のルートを探索すると共に、選択されたルートに従って案内するナビゲーション装置において、例えば、発進地、営業所、本社、本店、支店等の車両登録地点の予め定められた所定の距離範囲内に入ったとき、ナビゲーションで使用した目的地、目的地履歴、走行履歴の何れか１つ以上の個人情報を消去するための案内を報知するステップＳ４１及びステップＳ４２からなる消去情報第１報知部と、前記ステップＳ４１及びステップＳ４２からなる消去情報第１報知部で報知した対象の個人情報を消去する図６に示すようなステップＳ４４及びステップＳ４５からなる消去部を具備し、特定の車両が車両登録地点から予め定められた所定の距離範囲内に入ったとき、ステップＳ４１及びステップＳ４２からなる消去情報第１報知部は個人情報を消去するための案内を表示し、ステップＳ４４及びステップＳ４５からなる消去部によって前記個人情報を消去するものである。
【００５１】
したがって、レンタカー、社有車両、共用車両またはレンタルナビゲーション装置であっても、予め定められた所定の距離範囲内に入ったとき、ステップＳ４１及びステップＳ４２からなる消去情報第１報知部が個人情報を消去するための案内を報知し、ドライバまたは使用者にその注意を喚起するので、ドライバは図６に示すようなステップＳ４４及びステップＳ４５からなる消去部によって前記個人情報を消去することができる。よって、車両のドライバまたはレンタルナビゲーション装置を使用した個人情報を忘れることなく消去できる。
勿論、上記実施の形態のステップＳ４１乃至ステップＳ４５を省略して後の処理のステップＳ４６乃至ステップＳ４９からなる消去情報第２報知部を消去情報第１報知部とすることもできる。
【００５２】
そして、上記実施の形態のナビゲーション装置の個人情報は、目的地、目的地履歴、走行履歴の何れか１つ以上とすることができる。何れにせよ、削除エリアを設定することにより、そのエリア内に記載してあれば、削除が容易になり、通常のナビゲーション装置に設定する要件を削除することができる。レンタカー、社有車両、共用車両であっても、レンタルナビゲーション装置であっても、その使用者の設定した情報を削除できる。
【００５３】
そして、上記実施の形態のナビゲーション装置の前記個人情報でも、ステップＳ１１乃至ステップＳ１５の「車両登録地点の登録ルーチン」の実行中にステップＳ１４で消去禁止フラグを立てた情報のみは、ステップＳ４４及びステップＳ４５、ステップＳ５１及びステップＳ５２で消去部の操作によっても消去不可能な登録を可能としたものであるから、レンタカー、社有車両、共用車両であっても、レンタルナビゲーション装置であっても、それらの仕様にあった情報を管理の立場から入力したものについては、消去部の操作によっただけでは消去不可能な登録ができ、管理に適した登録が自在なものである。
【００５４】
更に、上記実施の形態のナビゲーション装置のステップＳ４１乃至ステップＳ４２からなる消去情報第１報知部には、ディスプレイ３の表示としたものであるから、ナビゲーションのディスプレイ３の地図上に特定面積のポップアップまたはディスプレイ３の全面表示させるものであるから、格別、第三者にまで伝わらない状態で消去動作を行うことができ、また、レンタカーの営業所等を通過する際には、それが報知されるが、その都度の操作が静かに操作できる。
【００５５】
更にまた、上記実施の形態のナビゲーション装置のステップＳ４６乃至ステップＳ４９からなる消去情報第２報知部としては、ディスプレイ３の表示及び音声出力としたものであるから、ナビゲーションのディスプレイ３の地図上に特定面積のポップアップまたはディスプレイの全面で表示し、かつ、音声出力を行うものであるから、ステップＳ４１乃至ステップＳ４２からなる消去情報第１報知部とは異なる報知方法に代えて報知する。
【００５６】
そして、ステップＳ４１乃至ステップＳ４５を省略して後の処理のステップＳ４６乃至ステップＳ４９からなる消去情報第２報知部を消去情報第１報知部としたとき、ステップＳ４６乃至ステップＳ４９からなる消去情報第１報知部のみとしたときには、個人情報を消去するための案内を前記第１報知部とは異なる報知方法、例えば、ポップアップ表示された特定面積を点滅させるか、または特定の色彩を赤系に変化させるとか、音声で「個人情報を消去ください。」、「レンタカー営業所に到着しました。登録情報を削除しますか。」等のメッセージを音声出力する等の注意を喚起する報知手段をいきなり用いてもよい。
【図面の簡単な説明】
【００５７】
【図１】図１は本発明の実施の形態にかかるナビゲーション装置の一部機能表現を含む全体構成を示すブロック図である。
【図２】図２は本発明の実施の形態にかかるナビゲーション装置のディスプレイで表示されたメインメニューの説明図である。
【図３】図３は本発明の実施の形態にかかるナビゲーション装置のディスプレイで表示された各種設定メニューの説明図である。
【図４】図４は本発明の実施の形態にかかるナビゲーション装置のディスプレイで表示された目的地設定情報の説明図である。
【図５】図５は本発明の実施の形態にかかるナビゲーション装置のディスプレイで表示された車両登録地点の説明図である。
【図６】図６は本発明の実施の形態にかかるナビゲーション装置のディスプレイで表示された目的地設定情報の説明図である。
【図７】図７は本発明の実施の形態にかかるナビゲーション装置のメインルーチンのフローチャートである。
【図８】図８は本発明の実施の形態にかかるナビゲーション装置の車両登録地点の登録ルーチンのフローチャートである。
【図９】図９は本発明の実施の形態にかかるナビゲーション装置の目的地・経由地の登録ルーチンのフローチャートである。
【図１０】図１０は本発明の実施の形態にかかるナビゲーション装置の車両登録地点の到着ルーチンのフローチャートである。
【符号の説明】
【００５８】
１    演算・制御部
２    操作部
３    ディスプレイ
４    スピーカ
６    現在地検出部
８    通信部
９    データ処理記憶部
１０    目的地設定記憶部
１０１  目的地設定部
１０２  経由地設定部
１０３  コース保持部
１０４  目的地履歴部
１０５  走行履歴部
【図１】
2010145330.tif 000003
【図２】
2010145330.tif 000004
【図３】
2010145330.tif 000005
【図４】
2010145330.tif 000006
【図５】
2010145330.tif 000007
【図６】
2010145330.tif 000008
【図７】
2010145330.tif 000009
【図８】
2010145330.tif 000010
【図９】
2010145330.tif 000011
【図１０】
2010145330.tif 000012